(57)【要約】【解決手段】二つの椎体の間に脊椎インプラントを埋め込むためのシステム及び方法が提供される。脊椎インプラントは、二つの椎体の間で隣り合って配置されるように構成された本体を備えていてもよく、本体はフィラーを保持するように構成された溝と、本体に接続されるように構成された蓋とを有し、蓋は、本体が椎体の間に挿入された後及びフィラーが本体の溝に挿入された後に接続可能である。蓋は、本体及び蓋の間の持続的な接続を提供する固定部材によって、本体に固定可能である。
2018531111.tif 000002
【特許請求の範囲】
【請求項１】
二つの椎体の間にフィラーを導入するように構成された脊椎の処置の実行システムにおいて、
二つの椎体の間に隣り合って配置されるように構成された本体を有する脊椎インプラントを備え、前記本体は溝を画定するように一対の脚部、鼻部及び天辺開口部を有し、溝はフィラーを保持するように構成され、脚部の少なくとも一方は開口を有しており、
前記開口の中に嵌まるように構成された細長部材と、
貫通孔を有する蓋と、
前記開口の中に嵌まるように構成された固定部材とを備え、
該固定部材は、前記細長部材に圧縮力を生み出すように弾性材料により形成され、前記本体が前記椎体の間に挿入された後及び前記フィラーが前記本体の前記溝の中に挿入された後、前記蓋に前記本体が接続されるように前記開口内に前記細長部材を固定する
ことを特徴とする実行システム。
【請求項２】
前記固定部材は、略Ｃ字状を形成するように径方向開口部を有する貫通ボアを備えることを特徴とする請求項１に記載の実行システム。
【請求項３】
前記固定部材は傾斜外面と、貫通ボアの中心に対して均一の半径を有する外周面とを備えることを特徴とする請求項２に記載の実行システム。
【請求項４】
前記細長部材は、遠位端から近位端に向けてテーパ状であることを特徴とする請求項３に記載の実行システム。
【請求項５】
前記開口は、前記固定部材の前記蓋からの脱落を妨げる内棚を備えることを特徴とする請求項１に記載の実行システム。
【請求項６】
前記一対の脚部の一方は凹みを備え、
前記蓋は前記本体への前記蓋の結合を案内するように前記凹みに噛合うように構成された突出部を備え、
前記突出部は、前記溝の中で前記フィラーを押す
ことを特徴とする請求項１に記載の実行システム。
【請求項７】
二つの椎体の間に配置され、フィラーを保持するように構成された脊椎インプラントにおいて、
二つの椎体の間に隣り合って配置されるように構成された本体を備え、該本体は溝を画定するように一対の脚部及び端壁を有し、溝はフィラーを保持するように構成され、前記一対の脚部の夫々はボアを有しており、
前記一対の脚部の対応する一方のボア内で摺動するように構成された一対の細長部材と、
一対の開口、及び各開口の中に嵌まるように構成された一対の固定部材を有する蓋とを備え、
前記一対の固定部材は、前記細長部材夫々上に圧縮力を生み出すように弾性材料により形成され、前記本体が前記椎体の間に挿入された後及び前記フィラーが前記本体の前記溝の中に挿入された後、前記蓋に前記本体が接続されるように前記開口夫々の中に前記細長部材夫々を固定する
ことを特徴とする脊椎インプラント。
【請求項８】
前記一対の開口は、前記蓋が前記本体に嵌められた場合、前記一対の脚部の各ボアに位置合わせされる
ことを特徴とする請求項７に記載の脊椎インプラント。
【請求項９】
前記一対の固定部材夫々は、略Ｃ字状を形成するように径方向開口部を有する貫通ボアを備えることを特徴とする請求項７に記載の脊椎インプラント。
【請求項１０】
前記一対の固定部材夫々は、傾斜外面と、貫通ボアの中心に対して均一の半径を有する外周面とを備えることを特徴とする請求項９に記載の脊椎インプラント。
【請求項１１】
前記一対の細長部材夫々は、遠位端から近位端に向けてテーパ状であることを特徴とする請求項１０に記載の脊椎インプラント。
【請求項１２】
前記一対の開口夫々は、前記固定部材夫々の前記蓋からの脱落を妨げるように構成された棚部を備えることを特徴とする請求項７に記載の脊椎インプラント。
【請求項１３】
前記一対の脚部の一方は凹みを備え、
前記蓋は前記本体への前記蓋の結合を案内するように前記凹みに噛合うように構成された突出部を備え、
前記突出部は、前記溝の中で前記フィラーを押す
ことを特徴とする請求項７に記載の脊椎インプラント。
【請求項１４】
請求項１に記載のシステムを利用する、二つの隣り合う椎体の間への骨成長材料の導入方法において、
前記二つの隣り合う椎体の間に前記本体を挿入するステップと、
前記溝に前記骨成長材料を充填するステップと、
前記蓋を前記細長部材に沿って摺動するステップと、
前記天辺開口部を閉じるように前記本体上に前記蓋を取り付けるステップと、
前記細長部材に沿って前記固定部材を摺動し、前記固定部材が前記溝に配されるまで前記開口に前記固定部材を押すステップと
を備えることを特徴とする導入方法。
【請求項１５】
前記細長部材は、脆弱節に沿って断ち切られることを特徴とする請求項１４に記載の導入方法。
【請求項１６】
前記細長部材は、前記本体が前記二つの隣り合う椎骨の間に挿入される前に前記開口の中に挿入されることを特徴とする請求項１４に記載の導入方法。
【請求項１７】
前記細長部材は、前記本体が前記二つの隣り合う椎骨の間に挿入された後に前記開口の中に挿入されることを特徴とする請求項１４に記載の導入方法。
【請求項１８】
前記蓋は、前記溝の中で骨成長材料を押し、前記二つの隣り合う椎骨に接触させるように構成された突起を備えることを特徴とする請求項１６に記載の導入方法。
【請求項１９】
前記一対の脚部は凹みを備え、
前記突起は前記本体への前記蓋の結合を案内するように前記凹みに噛合うように構成されている
ことを特徴とする請求項１８に記載の導入方法。
【請求項２０】
前記固定部材は、略Ｃ字状を形成するように径方向開口部を有する貫通ボアを備えることを特徴とする請求項１８に記載の導入方法。
【請求項２１】
前記溝は、前記固定部材の前記蓋からの脱落を妨げる内棚を備えることを特徴とする請求項２０に記載の導入方法。
【発明の詳細な説明】
【背景技術】
【０００１】
本願は、二つの椎体の間の脊椎インプラント、より具体的には、フィラーを保持するように構成された脊椎インプラントを固定するシステム及び方法に関する。
【０００２】
骨補填剤のようなフィラーを保持するように構成されている脊椎インプラントが一般的に知られている。しかしながら、これらのインプラントは、椎体の間に配置するのに先立って充填することが要求される。骨補填剤のようなフィラー材料はインプラント上及び周囲に配置され、その後、二つの椎体の間に配置される。この方法及びシステムは、フィラー材料が隣り合う椎体に十分に接触しないことをもたらすことが多い。いくつかのインプラントは、二部品構成で提供されることにより、この問題を克服する。第１部は、椎間板間に挿入され、フィラーで満たされ得る。次いで、第２部は、その後に挿入され、フィラーを封入するように第１部に結合する。
【発明の概要】
【発明が解決しようとする課題】
【０００３】
しかしながら、このような二部品構成は、第１部及び第２部を整列させ、持続的にこれらを一緒に固定することの困難性に遭遇する場合がある。したがって、脊椎インプラントを配置した後にフィラー材料が挿入され、第１部及び第２部の首尾一貫した整列及び固定を可能にするように二部品脊椎インプラントを変形する必要性が存在する。更に、ガイドワイヤにより第１部を第２部に単純に固定することにより、第１部を第２部の所定の位置に固定する二部品脊椎インプラントを手にすることが望まれる。
【課題を解決するための手段】
【０００４】
一の実施形態において、二つの椎体の間に配されている脊椎インプラントを固定するシステムは、二つの椎体の間に隣り合って配置されるように構成された本体を備えてもよい。脊椎インプラントは、本体の溝に到達するように提供される天辺開口部を有する本体（籠とも呼ぶ）を備える。本体の溝は、フィラーを保持するように構成されている。システム及び方法は、天辺開口部を閉じることにより本体に接続するように構成された蓋を備える。蓋は、本体が椎体の間に挿入された後及びフィラーが本体の溝に挿入された後に、接続可能である。
【０００５】
他の実施形態において、二つの椎体の間に配置される脊椎インプラントを固定するシステムは、本体の上端から延びる細長部材を備える。本体は、一対の隣り合う椎体の間に配置されるように構成される。本体は、フィラーを保持するようにそこに構成される溝を備える。本実施形態において、本体に接続するように構成された蓋は貫通孔を備え、この蓋は、貫通孔に相対して細長部材に沿って摺動可能である。蓋は、本体が椎体の間に挿入された後、及びフィラーが本体の溝に挿入された後に接続可能であってもよい。蓋は、持続的に本体に蓋を取り付けるように、少なくとも一つの固定部材により本体に固定される。
【０００６】
更なる他の実施形態において、二つの椎体の間に脊椎インプラントを配置する方法が提供される。方法は、本体、そこから延びる少なくとも一つの細長部材及び蓋を有するインプラントを提供することを含む。方法は、二つの椎体の間に本体を挿入するステップ、本体の中の溝にフィラーを挿入するステップ、蓋が本体に到達するまで少なくとも一つの細長部材に沿って蓋を摺動するステップ、及び本体に蓋を固定するステップを含む。
【０００７】
ここで、述べられる実施形態により提供されるこれらの特徴及び付加的な特徴は、以下の詳細な説明を図面と併せて考慮することでより十分に理解される。
【０００８】
図中で明らかにされる実施形態は、例示で、事実上の代表例であり、特許請求の範囲により定義される主題を限定することを意図してはいない。例示的な実施形態の以下の詳細な説明は、同様の構造は同様の参照符号を付した以下の図面と併せて読むことで、よりよく理解され得る。
【図面の簡単な説明】
【０００９】
【図１】本明細書で示され、記載された一以上の実施形態に係る脊椎インプラントの斜視図である。
【図２】本明細書で示され、記載された一以上の実施形態に係る脊椎インプラントの側面図である。
【図３】本明細書で示され、記載された一以上の実施形態に係る脊椎インプラントの平面図である。
【図４】本明細書で示され、記載された一以上の実施形態に係る脊椎インプラントの部分分解斜視図である。
【図５】本明細書で示され、記載された一以上の実施形態に係る脊椎インプラントの部分分解斜視図である。
【図６】本明細書で示され、記載された一以上の実施形態に係る蓋の図である。
【図７】本明細書で示され、記載された一以上の実施形態に係る蓋の代替的斜視図である。
【図８】本明細書で示され、記載された一以上の実施形態に係る部分分解斜視図における蓋及び固定部材の分解図である。
【図９】本明細書で示され、記載された一以上の実施形態に係る固定部材の斜視図である。
【図１０】本明細書で示され、記載された一以上の実施形態に係る脊椎インプラントの断面図である。
【発明を実施するための形態】
【００１０】
脊椎インプラントを埋め込むシステムは本体を有する脊椎インプラントを備える。本体は、一対の脚部、前端部及び上部開口部を有する略Ｕ字状であってもよい。脚部の下方面及び上方面は、リブを有していてもよい。システムは、一対の脚部の一方の上端に配されている開口の中に挿入されてもよい少なくとも一つの細長部材を備える。システムは、本体に接続されるように構成され、しっかりと本体に固定されている蓋を備える。本体は、一対の椎体の間に配置され、脚部のリブを有する下方面及び上方面は直接隣り合って配置され、椎体の下方面及び上方面夫々に接する。ここで使用されているように、上方面は使用者の頭に対向する椎体の面を指し、下方面は、使用者の足に対向する椎体の面を指している。
【００１１】
本体は、天辺開口部が露出されるように二つの椎体の間に挿入される。本体は、挿入の間又はその後に開口に嵌められる細長部材とともに挿入されてもよい。本体が椎体の間に挿入された後、骨補填剤のようなフィラーが本体の溝の中に挿入される。フィラーが導入された後、蓋は、細長部材に沿って摺動し、本体に蓋を固定するように開口の中で細長部材との挟み嵌め噛合いを生み出して開口に押し付けられる。蓋が本体に固定された後、細長部材は、本体から切断されるように断ち切られてもよい。
【００１２】
図１及び４を参照すれば、一対の椎骨の間に脊椎インプラント１０を埋め込む。システム１００の例示的な実施形態が提供されている。脊椎インプラント１０は、本体１２を有する。本体１２は、近位端１２ａ及び遠位端１２ｂを備える。
【００１３】
本体１２は一対の脚部１４と、本体の遠位端１２ｂを画定する鼻部１６を備える。脚部１４は互いに離隔し略平行であり、一対の脚部１４及び鼻部１６により画定される天辺開口部１８及び溝２０を有する略Ｕ字状を形成するように鼻部１６の反対側に配されている。溝２０は、フィラー材料（不図示）を保持するように構成される。天辺開口部１８により、外科医は溝２０に接近することが可能になる。外科医は天辺開口部１８を介してフィラーを挿入し得る。
【００１４】
一対の脚部１４の夫々は、下方面１４ａ及び上方面１４ｂを有する。一の実施形態において、下方面１４ａ及び上方面１４ｂは、一般的なリブを有するように複数の隆起Ｒを備える。鼻部１６は、隣り合う椎骨の間に本体１２を導入することを容易にするように狭い前端を有するような形状とされていてもよい。特に、鼻部１６は、椎体の間への本体１２の挿入を補助するテーパ状寸法を本体１２の遠位端１２ｂに与える斜面１６ａを備える。
【００１５】
システムは蓋２２を備える。蓋２２は天辺開口部１８を閉じるように構成されている。本体１２の近位端１２ａは蓋２２を受け入れるように構成される。一の実施形態において、蓋２２の幅は、蓋２２が本体の近位端１２ａを覆うように、本体１２の幅と略同じである。
【００１６】
システム１００は、更に細長部材２４を備える。一の実施形態において、システムは、一対の細長部材２４ａ，２４ｂを備える。本体１２の近位端１２ａは更に細長部材２４ａ，２４ｂを備える。細長部材２４ａ，２４ｂは、本体１２の近位端１２ａに嵌められている。特に、細長部材２４ａ，２４ｂは、本体１２の近位端１２ａから離れる方向に延びるように、脚部１４夫々の近位端１２ａに配される開口２６に嵌められている。細長部材２４ａ，２４ｂは、本体１２が一対の椎骨の間にインプラントされた後、蓋の本体１２に向けての摺動を可能にする。
【００１７】
細長部材２４ａ，２４ｂは夫々、第１端２４ｃ及び第２端２４ｄを備える。細長部材２４ａ，２４ｂの第１端２４ｃは近位端である。細長部材２４ａ，２４ｂの第２端２４ｄは遠位端であり、本体１２に直接接続する。一の実施形態において、第２端２４ｄは本体１２に型どられ又は中にある。あるいは、細長部材２４ａ，２４ｂは、圧入配置で本体１２に挿入され、又は一部品組み立てとして形成されてもよい。このような実施形態において、細長部材２４ａ，２４ｂの第２端２４ｄは開口２６よりも大きい直径を有する。一の実施形態において、細長部材２４ａ，２４ｂの第２端２４ｄは第１端２４ｃよりも大きい直径を有する。
【００１８】
細長部材２４ａ，２４ｂは、ワイヤ又は軸であってもよく、通常金属から形成されている。細長部材２４ａ，２４ｂは、様々な要求に応じて中実又は中空であってもよい。あるいは、本体１２及び蓋２２の製造に使用されるプラスチック又はポリマーと同様のプラスチック材料により形成されていてもよい。
【００１９】
本体１２及び蓋２２は、典型的にチタンのようなインプラント可能な任意の金属から形成されている。他の実施形態において、本体１２及び蓋２２は、ポリエチルエーテルケトン（ＰＥＥＫ）等のようなインプラント可能な任意のプラスチック材料又はポリマー材料から形成されている。
【００２０】
図１〜６は、複数の孔２８ａ，２８ｂ，２８ｃ，２８ｄを示している。これらの孔２８ａ，２８ｂ，２８ｃ，２８ｄは、対応するピン２９ａ，２９ｂ，２９ｃ，２９ｄを受け入れるように構成されている。ピン２９ａ，２９ｂ，２９ｃ，２９ｄは、Ｘ線でのインプラント１００における可視性及び場所特定性を提供するインプラント可能な任意の金属から形成されている。代表的な実施形態において、本体１２、蓋２２及びピン２９ａ，２９ｂ，２９ｃ，２９ｄのような構成要素は、全てポリマー材料又はプラスチック材料から形成されている。孔２８ａ，２８ｂ，２８ｃ，２８ｄ夫々の中へのピン２９ａ，２９ｂ，２９ｃ，２９ｄの挿入は、Ｘ線での脊椎インプラント１０の可視性及び場所特定性を提供する。ピン２９ａ，２９ｂ，２９ｃ，２９ｄの位置決めは、インプラントの間の均一な一貫性を可能にするように脊椎インプラント夫々に対して一定に保たれる。したがって、外科医は脊椎インプラント１０の深さをより良く理解するためにＸ線装置を見てもよい。
【００２１】
図４は、蓋２２が完全に設置される前の脊椎インプラント１０の分解斜視図を描いている。図４の矢印方向により例示するように、蓋２２は、本体１２に安定的に接続されるように本体１２に向けて細長部材２４ａ，２４ｂ夫々を摺動する。細長部材２４ａ，２４ｂは、本体１２の天辺開口部１８に合うように蓋２２を案内するのを助ける。蓋２２は、フィラー又は補填材料が溝２０の中に挿入された後、設置される。
【００２２】
再度図４及び図６〜８も参照すれば、蓋２２は、細長部材２４を摺動して受け入れるように構成された貫通孔２２ａを更に備える。例示的な目的において、蓋２２は、二つの貫通孔２２ａを有するように示され、各貫通孔２２ａは蓋２２において、互いに反対側に配され、蓋２２の上面から蓋２２の底面に延びる。したがって、蓋２２は、細長部材２４ａ，２４ｂ上で、細長部材２４ａ，２４ｂに沿って、摺動し得る。図６〜８に明確に示されているように貫通孔２２ａは蓋２２の胴体を通じて延びる。蓋２２は、図１に示すように本体１２に到着するまで、細長部材２４ａ，２４ｂに沿って摺動する。特に、蓋２２は本体１２の各脚部１４の近位端１２ａに当接するように細長部材２４ａ，２４ｂを摺動する。
【００２３】
一の実施形態において、システム１００は、本体１２への蓋２２の位置合わせを容易にするように構成されている。このような実施形態において、本体１２は、蓋２２が本体１２上で適切に閉まることを更に確実にするように蓋２２の配置を容易にすることを助けるように構成された凹み３０を備えてもいてもよい。図４、５及び１０は、凹み３０の実施形態を示す。凹み３０は、本体１２の近位端１２ａにおいて配される各脚部１４の内壁の凹部である。凹み３０は、天辺開口部１８に開放されている。
【００２４】
蓋２２は、蓋２２の遠位端に配される突出部３２を備える。蓋２２は、蓋２２において互いに反対側に配されている二つの突出部３２を有するように例示的に示されている。突出部は、本体１２に蓋２２を合わせるように凹み３０夫々に滑り込む。言い換えれば、突出部３２は本体１２に蓋２２をきっちりと整列させるように凹み３０の中に入れられている。突出部３２は溝２０の中の増大した表面積を更に提供し、これにより、フィラー材料及び椎体の間のより良い接続を容易にするように溝２０の外にフィラー材料を押す。蓋２２は、丸角部３４ａ，３４ｂを有するように例示的に示されている。
【００２５】
蓋２２は、椎体に隣り合って配置されるプレート（不図示）を脊椎インプラント１０に接続するように、ファスナーＦを受け入れるように構成されているねじ穴ＴＢを更に備えていてもよい。ねじ穴ＴＢはまた、細長部材２４ａ，２４ｂに沿って蓋２２を案内するのを援助する挿入器具（不図示）に接続されるように構成されていてもよい。ねじ孔ＴＢは、蓋２２において中心的に位置するように示されているが、ねじ穴ＴＢは、プレートの接続又は挿入器具の作動を容易にするように、他の場所に配置されていてもよい。
【００２６】
図８を参照すれば、システム１００は、具体的には固定部材３６として例示されている固定部材３６を更に備える。固定部材３６は、細長部材２４ａ，２４ｂによって、本体１２に蓋２２を持続的に固定するように蓋２２の中に嵌められている。各固定部材３６は、外周面３６ｂに対して角をなす傾斜外面３６ａを備える。外周面は、貫通孔３６ｃの中心に対して、ほぼ一定の半径を有する。対応する内面３６ｄは、設置された位置にある場合において、細長部材２４ａ，２４ｂに接触しているように提供され配置されている。固定部材３６は、略Ｃ字状の寸法を画定するように、径方向開口部Ａを更に備えていてもよい。
【００２７】
図１０は、蓋２２の中の設置配置における固定部材３６を例示する。固定部材３６は、貫通孔２２ａの中に設置されている。貫通孔２２ａは、蓋２２の全長に亘って延び、これにより、細長部材２４ａ，２４ｂが本体１２に蓋２２を通じて十分に延びることを可能にする。貫通孔２２ａは、内棚４０を形成するように、貫通孔２２ａの近位部よりも大きい半径を有する溝３８を備える。溝３８は、固定部材３６夫々を保持するように構成されている。固定部材３６は、弾力があり、インプラント可能である任意のプラスチック材料又はポリマー材料から形成された一部品成形材料である。径方向開口部Ａは、図９に例示するように、矢印方向４２，４４により例示されるような、圧縮ばね作用が固定部材３６に作用することを可能とする。更に、径方向開口部Ａは、固定部材３６の端部が閉じることを可能にし、開口２６の中に嵌まるように固定部材３６の直径を低減する。固定部材３６が溝３８の中に配される場合、固定部材３６の弾力性により、径方向開口部Ａは開放され、固定部材３６の後端は、内棚４０に直接接触する。これにより、固定部材３６は、医療用インプラントに適した弾力のある部材から形成されていると認識されるべきである。
【００２８】
固定部材３６が、図１０に例示するように、細長部材２４ａ，２４ｂに係合し、各溝３８内に配されている場合、固定部材３６は、蓋２２と、細長部材２４ａ，２４ｂとの間の圧入接続を容易にする。
【００２９】
一の実施形態において、細長部材２４はテーパ状部を備える。特に、細長部材の第１端２４ｃは、直径において、蓋２２が設置の間に細長部材２４上を容易に摺動することを可能にするように、第２端２４ｄよりも狭い。図１０は、細長部材２４の第２直径Ｄ2 を有する第２端２４ｄと、細長部材２４の第１直径Ｄ1 を有する第１端２４ｃを例示する。より大きい第２直径Ｄ2 は、固定部材１５０ａ、蓋２２、開口２６と、細長部材２４との間のよりしっかりした圧入接続を可能とする。
【００３０】
使用者が本体１２から蓋２２を除去することを試みた場合、固定部材３６の圧縮力が、細長部材２４ａに作用し、蓋２２の除去を妨げる。使用者が本体１２から蓋２２を除去することを試みて蓋２２を引っ張り続けた場合、固定部材１５０ａは、細長部材２４ａの周囲を締め付け続け、これにより、蓋２２の除去を更に困難にする。更に、内棚４０は、使用者が、蓋２２を除去することを試みた場合、細長部材２４ａ，２４ｂに圧縮力が加わることを更に容易にする。内棚４０もまた、固定部材３６の蓋２２からの脱落を妨げる。内棚４０はまた、固定部材３６が細長部材２４ａ，２４ｂの周囲に圧縮力を発揮することを更にもっと可能にするように、固定部材３６への少しのカム力に拍車をかける。
【００３１】
蓋２２が本体１２上に設置され、固定された後、外科医は、はさみ、クランプ、その他ワイヤ切断手段によって、組立体から細長部材２４ａ，２４ｂを除去する。図１０は、脆弱節２４ｆを例示し、ここで外科医は組立体から細長部材２４ａ，２４ｂを除去する。
【００３２】
脊椎インプラント１０をインプラントする方法２００もまた提供される。方法２００は、隣り合う椎骨の間に本体１２を挿入するステップを備える。細長部材２４は、本体が隣り合う椎骨の間に挿入される前又は後に開口２６の中に挿入され得る。その後、溝２０は、骨成長材料のようなフィラーで充填される。蓋２２は、その後、場合によっては、細長部材２４又は一対の細長部材２４上に嵌められる。蓋２２は、細長部材２４に沿って摺動され、本体１２上に嵌められ、天辺開口部２０を閉じる。固定部材３６は、その後、細長部材２４夫々に沿って摺動され、固定部材３６が溝３６夫々に配されるまで、開口２６夫々の中に押される。細長部材２４はその後、脆弱節２４ｆに沿って断ち切られる。
【００３３】
なお、「実質的に」及び「約」という用語は、ここでは、量的な比較、測定又はその他の表現に本来起因し得る不確実さの程度を表すのに用いられ得る。量的表現の程度を表現するためにここでまた利用されるこれらの用語は、問題の主題の基本的な機能の変化をもたらすことなく、標準対照と異なっていてもよい。
【００３４】
特定の実施形態がここに記載されているが、様々な他の変更及び変形が請求された主題の趣旨及び範囲から外れることなくなされ得ると理解されるべきである。更に、請求された主題の様々な態様がここに記載されているが、これらの態様は組み合わせて利用される必要はない。それゆえ、添付された特許請求の範囲は請求された主題の範囲内であるこれらの変更及び変形全てをカバーすることが意図されている。例えば、蓋は、蓋が椎体の間に維持されるように、下方面及び上方面に配される複数の隆起を備えていてもよい。
【００３５】
関連出願の相互参照
本願は、２０１５年１０月２０日に出願された米国仮特許出願第６２／２４３，７８７号明細書の優先権を主張しており、その内容全体が参照により本明細書に組み込まれる。
【図１】
2018531111.tif 000003
【図２】
2018531111.tif 000004
【図３】
2018531111.tif 000005
【図４】
2018531111.tif 000006
【図５】
2018531111.tif 000007
【図６】
2018531111.tif 000008
【図７】
2018531111.tif 000009
【図８】
2018531111.tif 000010
【図９】
2018531111.tif 000011
【図１０】
2018531111.tif 000012
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
二つの椎体の間にフィラーを導入するように構成された脊椎の処置の実行システムにおいて、
二つの椎体の間に隣り合って配置されるように構成された本体を有する脊椎インプラントを備え、前記本体は溝を画定するように一対の脚部、鼻部及び天辺開口部を有し、溝はフィラーを保持するように構成され、脚部の少なくとも一方は開口を有しており、
前記開口の中に嵌まるように構成された細長部材と、
貫通孔を有する蓋と、
前記開口の中に嵌まるように構成された固定部材とを備え、
該固定部材は、前記細長部材に圧縮力を生み出すように弾性材料により形成され、前記本体が前記椎体の間に挿入された後及び前記フィラーが前記本体の前記溝の中に挿入された後、前記蓋に前記本体が接続されるように前記開口内に前記細長部材を固定する
ことを特徴とする実行システム。
【請求項２】
前記固定部材は、略Ｃ字状を形成するように径方向開口部を有する貫通ボアを備えることを特徴とする請求項１に記載の実行システム。
【請求項３】
前記固定部材は傾斜外面と、貫通ボアの中心に対して均一の半径を有する外周面とを備えることを特徴とする請求項２に記載の実行システム。
【請求項４】
前記細長部材は、遠位端から近位端に向けてテーパ状であることを特徴とする請求項３に記載の実行システム。
【請求項５】
前記開口は、前記固定部材の前記蓋からの脱落を妨げる内棚を備えることを特徴とする請求項１に記載の実行システム。
【請求項６】
前記一対の脚部の一方は凹みを備え、
前記蓋は前記本体への前記蓋の結合を案内するように前記凹みに噛合うように構成された突出部を備え、
前記突出部は、前記溝の中で前記フィラーを押す
ことを特徴とする請求項１に記載の実行システム。
【請求項７】
二つの椎体の間に配置され、フィラーを保持するように構成された脊椎インプラントにおいて、
二つの椎体の間に隣り合って配置されるように構成された本体を備え、該本体は溝を画定するように一対の脚部及び端壁を有し、溝はフィラーを保持するように構成され、前記一対の脚部の夫々はボアを有しており、
前記一対の脚部の対応する一方のボア内で摺動するように構成された一対の細長部材と、
一対の開口、及び各開口の中に嵌まるように構成された一対の固定部材を有する蓋とを備え、
前記一対の固定部材は、前記細長部材夫々上に圧縮力を生み出すように弾性材料により形成され、前記本体が前記椎体の間に挿入された後及び前記フィラーが前記本体の前記溝の中に挿入された後、前記蓋に前記本体が接続されるように前記開口夫々の中に前記細長部材夫々を固定する
ことを特徴とする脊椎インプラント。
【請求項８】
前記一対の開口は、前記蓋が前記本体に嵌められた場合、前記一対の脚部の各ボアに位置合わせされる
ことを特徴とする請求項７に記載の脊椎インプラント。
【請求項９】
前記一対の固定部材夫々は、略Ｃ字状を形成するように径方向開口部を有する貫通ボアを備えることを特徴とする請求項７に記載の脊椎インプラント。
【請求項１０】
前記一対の固定部材夫々は、傾斜外面と、貫通ボアの中心に対して均一の半径を有する外周面とを備えることを特徴とする請求項９に記載の脊椎インプラント。
【請求項１１】
前記一対の細長部材夫々は、遠位端から近位端に向けてテーパ状であることを特徴とする請求項１０に記載の脊椎インプラント。
【請求項１２】
前記一対の開口夫々は、前記固定部材夫々の前記蓋からの脱落を妨げるように構成された棚部を備えることを特徴とする請求項７に記載の脊椎インプラント。
【請求項１３】
前記一対の脚部の一方は凹みを備え、
前記蓋は前記本体への前記蓋の結合を案内するように前記凹みに噛合うように構成された突出部を備え、
前記突出部は、前記溝の中で前記フィラーを押す
ことを特徴とする請求項７に記載の脊椎インプラント。
【請求項１４】
請求項１に記載のシステムを利用する、二つの隣り合う椎体の間への骨成長材料の導入方法において、
前記二つの隣り合う椎体の間に前記本体を挿入するステップと、
前記溝に前記骨成長材料を充填するステップと、
前記蓋を前記細長部材に沿って摺動するステップと、
前記天辺開口部を閉じるように前記本体上に前記蓋を取り付けるステップと、
前記細長部材に沿って前記固定部材を摺動し、前記固定部材が前記溝に配されるまで前記開口に前記固定部材を押すステップと
を備えることを特徴とする導入方法。
【請求項１５】
前記細長部材は、脆弱節に沿って断ち切られることを特徴とする請求項１４に記載の導入方法。
【請求項１６】
前記細長部材は、前記本体が前記二つの隣り合う椎骨の間に挿入される前に前記開口の中に挿入されることを特徴とする請求項１４に記載の導入方法。
【請求項１７】
前記蓋は、前記溝の中で骨成長材料を押し、前記二つの隣り合う椎骨に接触させるように構成された突起を備えることを特徴とする請求項１６に記載の導入方法。
【請求項１８】
前記一対の脚部は凹みを備え、
前記突起は前記本体への前記蓋の結合を案内するように前記凹みに噛合うように構成されている
ことを特徴とする請求項１７に記載の導入方法。
【請求項１９】
前記固定部材は、略Ｃ字状を形成するように径方向開口部を有する貫通ボアを備えることを特徴とする請求項１７に記載の導入方法。
【請求項２０】
前記溝は、前記固定部材の前記蓋からの脱落を妨げる内棚を備えることを特徴とする請求項１９に記載の導入方法。
【国際調査報告】
2018531111.tif 000013
2018531111.tif 000014
2018531111.tif 000015